(57)【特許請求の範囲】
【請求項１】
サイリスタバルブを試験する装置であって、
試験対象のサイリスタバルブがオンになると電流を供給する電流源回路と、
前記サイリスタバルブがオフになると逆方向電圧又は順方向電圧を供給する電圧源回路と、
前記サイリスタバルブと前記電圧源回路との接続点と、前記電流源回路との間に備えられ、前記電流源回路を前記電圧源回路から絶縁して、前記電流源回路を前記電圧源回路の高電圧から保護するための第１補助バルブと、を備え、
前記電流源回路は、
直流電圧を変化させ、前記サイリスタバルブに供給される電流の増加率を制御しつつ、前記直流電圧を供給する、第１直流源回路部と、
前記第１直流源回路部の出力電圧を降圧するチョッパ回路と、を備える、装置。
【請求項２】
前記チョッパ回路は、
前記第１直流源回路部の正極出力端子に一端が接続される第１スイッチと、
前記第１スイッチと前記第１直流源回路部の負極出力端子との間に備えられる第１ダイオードと、
前記第１スイッチと前記第１ダイオードとの接続点に接続される第１インダクタと、
前記第１インダクタと前記第１補助バルブとの間に備えられる第３スイッチと、
を含むことを特徴とする、請求項１に記載の装置。
【請求項３】
前記第１直流源回路部は、６パルス位相制御整流器、１２パルス位相制御整流器及び１８パルス位相制御整流器のいずれか一つによって構成されることを特徴とする、請求項１に記載の装置。
【請求項４】
前記サイリスタバルブがオフになると、前記第１補助バルブを強制的にオフ制御する補助回路を更に含むことを特徴とする、請求項１又は３に記載の装置。
【請求項５】
前記補助回路は、
前記第１補助バルブをオフにするための直流電圧を発生する第２直流源回路部と、
前記第２直流源回路部の正極出力端子に一端が接続され、前記電流源回路に他端が接続される補助スイッチと、
前記補助スイッチに一端が接続され、前記電流源回路と前記第１補助バルブとの接続点に他端が接続されるコンデンサと、
を含むことを特徴とする、請求項４に記載の装置。
【請求項６】
前記第１直流源回路部は、交流電圧を直流電圧に変換する６パルス位相制御整流器、１２パルス位相制御整流器及び１８パルス位相制御整流器のいずれか一つによって構成されることを特徴とする、請求項３に記載の装置。
【請求項７】
前記チョッパ回路は、単相チョッパ回路又は多相チョッパ回路によって構成されることを特徴とする、請求項３に記載の装置。
【請求項８】
前記第１スイッチ及び第２スイッチはそれぞれ、絶縁ゲートバイポーラトランジスタ（ＩＧＢＴ）及び集積ゲート整流サイリスタ（ＩＧＣＴ）のいずれか一つによって構成されることを特徴とする、請求項３に記載の装置。
【請求項９】
前記第２直流源回路部は、交流電圧を直流電圧に変換する６パルスダイオード整流器、１２パルスダイオード整流器及び１８パルスダイオード整流器のいずれか一つによって構成されることを特徴とする、請求項５に記載の装置。
【請求項１０】
前記補助スイッチは、絶縁ゲートバイポーラトランジスタ（ＩＧＢＴ）又は集積ゲート整流サイリスタ（ＩＧＣＴ）であることを特徴とする、請求項５に記載の装置。
【発明の詳細な説明】
【技術分野】
【０００１】
本発明は、サイリスタバルブの合成試験装置に関し、特に、サイリスタバルブの定格電流及び定格電圧を試験することのできる、サイリスタバルブの合成試験装置に関する。
【背景技術】
【０００２】
高圧直流（ＨＶＤＣ）送電方式は、発電所で発電された交流電力を直流に変換して送電し、受電側で交流に再変換する電力供給方式である。ＨＶＤＣ送電方式は、交流送電方式に比べて効率的で経済的な送電を可能にする。
【０００３】
ＨＶＤＣ送電システムにおいては、交流を直流に変換するコンバータ及び直流を再び交流に変換するインバータにはサイリスタバルブが備えられるが、当該サイリスタバルブには高電圧、大電流が供給されるため、電圧ストレス及び電流ストレスが過度に発生することがある。よって、ＨＶＤＣ送電システムにおいて実際に供給されるレベルの電圧及び電流をサイリスタバルブに人為的に供給し、独立してサイリスタバルブの性能を予め試験する必要がある。
【０００４】
従来のサイリスタバルブの試験装置は、試験対象のサイリスタバルブがオンになると電流を供給する６パルスサイリスタコンバータが二つ直列に接続された低電圧大電流源と、補助バルブを適宜オン／オフして試験対象のサイリスタバルブがオフになると逆方向電圧又は順方向電圧を印加する共振回路とを含む。
【発明の概要】
【発明が解決しようとする課題】
【０００５】
このような従来のサイリスタバルブの試験装置においては、試験対象のサイリスタバルブに供給される電流のスイッチング特性を現実的にシミュレーションできるという利点があるが、低電圧大電流源の規模が大きく、操作が複雑であるという問題がある。
【０００６】
本発明は、このような問題を解決するためになされたものであり、サイリスタバルブがオンになると、チョッパ回路を用いて電流を供給し、サイリスタバルブがオフになると、共振回路を用いて逆方向電圧又は順方向電圧を印加することによって、サイリスタバルブの電圧ストレス及び電流ストレスのどちらも容易に試験することのできる、サイリスタバルブの合成試験装置を提供することを目的とする。
【課題を解決するための手段】
【０００７】
上記の本発明の目的は、試験対象のサイリスタバルブがオンになると電流を供給する電流源回路と、サイリスタバルブがオフになると逆方向電圧又は順方向電圧を印加する電圧源回路と、サイリスタバルブと電圧源回路との接続点と、電流源回路との間に備えられ、電流源回路と電圧源回路とを絶縁して、電流源回路を電圧源回路の高電圧から保護するための第１補助バルブとを含む、本発明によるサイリスタバルブの合成試験装置を提供することによって達成される。
【０００８】
本発明の一態様によれば、電流源回路は、直流電圧を変化させて前記サイリスタバルブに供給される電流の増加勾配を制御して供給する第１直流電源部と、第１直流電源部の出力電圧を降圧するチョッパ回路とを含む。
【０００９】
本発明の他の態様によれば、第１直流電源部は、交流電圧を直流電圧に変換する６パルス位相制御整流器、１２パルス位相制御整流器又は１８パルス位相制御整流器のいずれか一つで構成される。
【００１０】
本発明の更に他の態様によれば、チョッパ回路は、第１直流電源部の正極出力端子に一端が接続される第１スイッチと、第１スイッチと第１直流電源部の負極出力端子との間に備えられる第１ダイオードと、第１スイッチと第１ダイオードとの接続点に接続される第１インダクタと、第１インダクタと第１補助バルブとの間に備えられる第３スイッチとを含む。
【００１１】
本発明の更に他の態様によれば、チョッパ回路は、単相チョッパ回路又は多相チョッパ回路で構成される。
【００１２】
本発明の更に他の態様によれば、第１スイッチ及び第２スイッチは、絶縁ゲートバイポーラトランジスタ（ＩＧＢＴ）又は集積ゲート整流サイリスタ（ＩＧＣＴ）のいずれか一方で構成される。
【００１３】
本発明の更に他の態様によれば、本発明によるサイリスタバルブの合成試験装置は、サイリスタバルブがオフになると第１補助バルブを強制的にオフ制御する補助回路を更に含む。
【００１４】
本発明の更に他の態様によれば、補助回路は、第１補助バルブをオフにするための直流電圧を生成する第２直流電源部と、第２直流電源部の正極出力端子に一端が接続され、電流源回路に他端が接続される補助スイッチと、補助スイッチに一端が接続され、電流源回路と第１補助バルブとの接続点に他端が接続されるコンデンサとを含む。
【００１５】
本発明の更に他の態様によれば、第２直流電源部は、交流電圧を直流電圧に変換する６パルスダイオード整流器、１２パルスダイオード整流器又は１８パルスダイオード整流器のいずれか一つで構成される。
【００１６】
本発明の更に他の態様によれば、補助スイッチは、ＩＧＢＴ又はＩＧＣＴのいずれか一方で構成される。
【発明の効果】
【００１７】
本発明によるサイリスタバルブの合成試験装置においては、試験装置を構成するただ一つの回路で試験対象のサイリスタバルブに電流、逆方向電圧及び順方向電圧を選択的に印加することによって、サイリスタバルブのオン／オフ時の電圧ストレス及び電流ストレスの両方を試験することができる。
【００１８】
本発明によるサイリスタバルブの合成試験装置においては、一つの回路でサイリスタバルブのオン／オフ時に電流、逆方向電圧及び順方向電圧を選択的に印加することによって、サイリスタバルブのオン／オフ時の電圧ストレス及び電流ストレスの両方を試験することができるため、試験装置の構造及び動作が簡単であり、経済性及び運用の容易性に優れるという利点がある。
【図面の簡単な説明】
【００１９】
【図１】本発明の好ましい一実施形態によるサイリスタバルブの合成試験装置の回路構成を概略的に示す回路図である。
【図２Ａ】本発明の好ましい一実施形態によるサイリスタバルブの合成試験装置における、オン状態の試験対象のサイリスタバルブに試験電流が供給される場合の動作モードの等価回路を示す回路図である。
【図２Ｂ】本発明の好ましい一実施形態によるサイリスタバルブの合成試験装置における、オン状態の試験対象のサイリスタバルブに試験電流が供給される場合の動作モードの等価回路を示す回路図である。
【図２Ｃ】本発明の好ましい一実施形態によるサイリスタバルブの合成試験装置における、オン状態の試験対象のサイリスタバルブに試験電流が供給される場合の動作モードの等価回路を示す回路図である。
【図２Ｄ】本発明の好ましい一実施形態によるサイリスタバルブの合成試験装置における、オン状態の試験対象のサイリスタバルブに試験電流が供給される場合の動作モードの等価回路を示す回路図である。
【図２Ｅ】本発明の好ましい一実施形態によるサイリスタバルブの合成試験装置における、オフ状態の試験対象のサイリスタバルブに逆方向電圧が印加される場合の動作モードの等価回路を示す回路図である。
【図２Ｆ】本発明の好ましい一実施形態によるサイリスタバルブの合成試験装置における、オフ状態の試験対象のサイリスタバルブに逆方向電圧が印加される場合の動作モードの等価回路を示す回路図である。
【図２Ｇ】本発明の好ましい一実施形態によるサイリスタバルブの合成試験装置における、オフ状態の試験対象のサイリスタバルブに逆方向電圧が印加される場合の動作モードの等価回路を示す回路図である。
【図２Ｈ】本発明の好ましい一実施形態によるサイリスタバルブの合成試験装置における、オフ状態の試験対象のサイリスタバルブに順方向電圧が印加される場合の動作モードの等価回路を示す回路図である。
【図２Ｉ】本発明の好ましい一実施形態によるサイリスタバルブの合成試験装置における、オフ状態の試験対象のサイリスタバルブに順方向電圧が印加される場合の動作モードの等価回路を示す回路図である。
【発明を実施するための形態】
【００２０】
本出願において、ある構成要素が他の構成要素に「連結」又は「接続」されていると記載された場合は、上記の他の構成要素に直接的に連結又は接続されていることもあり、中間に更に他の構成要素が存在することもあると理解すべきである。それに対して、ある構成要素が他の構成要素に「直接連結」又は「直接接続」されていると記載された場合は、中間に更に他の構成要素が存在しないと理解すべきである。
【００２１】
本出願で使用された用語は、単に特定の実施形態を説明するために使用されたものであり、本発明を限定するものではない。単数の表現は、文脈上明らかに他の意味を表すものでない限り、複数の表現を含む。本出願において、「含む」や「有する」などの用語は、明細書に記載された特徴、数字、段階、動作、構成要素、部品、又はこれらの組合せが存在することを指定しようとするものであり、一つ又はそれ以上の他の特徴、数字、段階、動作、構成要素、部品、又はこれらの組合せの存在又は付加の可能性を予め排除するものではないと理解すべきである。また、本出願において、「部」などの用語は、少なくとも一つの機能や動作を処理する単位を意味し、ハードウェア、ソフトウェア、又はハードウェアとソフトウェアとの組合せとして実現される。
【００２２】
以降、添付図面を参照して本発明の好ましい実施形態を詳細に説明する。添付図面を参照して説明するにあたって、図面番号に関係なく同一又は類似の構成要素には同一の符号を付して重複する説明は省略する。
【００２３】
図１は本発明の好ましい一実施形態によるサイリスタバルブの合成試験装置の回路構成を概略的に示す回路図である。
【００２４】
ＨＶＤＣ送電システムに適用されるサイリスタバルブは、オン／オフ動作によって定格電流／定格電圧が印加されるため、サイリスタバルブがオン状態のときの電流ストレスと、オフ状態のときの電圧ストレスとを試験して性能を検証しなければならない。
【００２５】
そこで、本発明の好ましい一実施形態によるサイリスタバルブの合成試験装置においては、サイリスタバルブに時間差をおいて電流及び電圧を印加し、サイリスタバルブがオン状態のときの電流ストレスと、オフ状態のときの電圧ストレスとの両方を試験する。
【００２６】
以降、試験対象のサイリスタバルブは、単に試験バルブといい、符号ＶＴを付して説明する。
【００２７】
なお、図においては、複数のスイッチがＩＧＢＴで構成された場合を例示するが、これに限定されるものではなく、ＩＧＣＴなどのようにオン／オフ制御が可能な様々な素子で構成することができる。
【００２８】
図１に示すように、本発明の好ましい一実施形態によるサイリスタバルブの合成試験装置は、電流源回路１０、電圧源回路２０、第１補助バルブＶａ１及び補助回路３０を含む。
【００２９】
同図において、符号１は商用交流電源を示し、符号Ｔｒは変圧器を示す。
【００３０】
電流源回路１０及び電圧源回路２０は、試験バルブＶＴを基準として左右にそれぞれ備えられる。
【００３１】
電流源回路１０は、試験バルブＶＴがオンになると電流を供給する。電流源回路１０は、出力電圧である直流電圧を変化させて試験バルブＶＴに供給される電流の増加勾配を制御する第１直流電源部１１と、第１直流電源部１１の出力電圧を降圧するチョッパ回路とを含んでもよい。
【００３２】
第１直流電源部１１は、交流電圧を整流して直流電圧に変換して出力する位相制御整流器で構成してもよく、例えば、６パルス位相制御整流器、１２パルス位相制御整流器、１８パルス位相制御整流器などを用いることができる。
【００３３】
チョッパ回路は、スイッチ、ダイオード、インダクタなどで構成され、入力される電圧を降圧して出力する。同図においては二相チョッパ回路を示すが、単相チョッパ回路又は三相以上の多相チョッパ回路を適用できることは、本発明の属する技術の分野における通常の知識を有する者にとって自明である。
【００３４】
二相チョッパ回路は、第１スイッチＩＧＢＴ１、第１ダイオードＤ１、第１インダクタＬ１、第２スイッチＩＧＢＴ２、第２ダイオードＤ２、第２インダクタＬ２、第３スイッチＩＧＢＴ３を含む。
【００３５】
二相チョッパ回路においては、第１スイッチＩＧＢＴ１、第１ダイオードＤ１、第１インダクタＬ１から構成される第１電流経路と、第２スイッチＩＧＢＴ２、第２ダイオードＤ２、第２インダクタＬ２から構成される第２電流経路とが、第１直流電源部１１と第３スイッチＩＧＢＴ３との間に並列に接続される。
【００３６】
第１電流経路においては、第１スイッチＩＧＢＴ１のコレクタが第１直流電源部１１の正極出力端子に接続され、第１ダイオードＤ１の両端がそれぞれ第１スイッチＩＧＢＴ１のエミッタと第１直流電源部１１の負極出力端子とに接続され、第１インダクタＬ１が第１スイッチＩＧＢＴ１と第１ダイオードＤ１の接続点と第３スイッチＩＧＢＴ３との間に備えられる。
【００３７】
また、第２電流経路においては、第２スイッチＩＧＢＴ２のコレクタが第１直流電源部１１の正極出力端子に接続され、第２ダイオードＤ２の両端がそれぞれ第２スイッチＩＧＢＴ２のエミッタと第１直流電源部１１の負極出力端子とに接続され、第２インダクタＬ２が第２スイッチＩＧＢＴ２と第２ダイオードＤ２の接続点と第３スイッチＩＧＢＴ３との間に備えられる。
【００３８】
電圧源回路２０は、試験バルブＶＴがオフになると逆方向電圧又は順方向電圧を印加する。
【００３９】
電圧源回路２０は、低電流高電圧源２１と、補助バルブＶａ３，Ｖａ４，Ｖａ５をオン又はオフにして試験バルブＶＴに加わる電圧の極性を反転させるための共振回路と、低電流高電圧源２１を共振回路に接続するための第２補助バルブＶａ２とを含む。
【００４０】
共振回路は、２つのインダクタＬ３、Ｌ４と、３つの補助バルブＶａ３，Ｖａ４，Ｖａ５と、共振用コンデンサＣｓとを含む。
【００４１】
電圧源回路２０においては、試験バルブＶＴのアノードに第３インダクタＬ３の一端が接続され、並列接続された第３補助バルブＶａ３のカソードと第４補助バルブＶａ４のアノードとの接続点に第３インダクタＬ３の他端が接続され、並列接続された第３補助バルブＶａ３のアノードと第４補助バルブＶａ４のカソードとの接続点に共振用コンデンサＣｓが並列に接続されて第４インダクタＬ４の一端が接続される。
【００４２】
また、第４インダクタＬ４の他端と第２補助バルブＶａ２のカソードとの接続点に第５補助バルブＶａ５が並列に接続され、低電流高電圧源２１に第２補助バルブＶａ２のアノードが接続される。
【００４３】
第１補助バルブＶａ１は、電圧源回路２０と試験バルブＶＴとの接続点と、電流源回路１０との間に備えられる。より詳細には、第３スイッチＩＧＢＴ３のエミッタに第１補助バルブＶａ１のアノードが接続され、第３インダクタＬ３と試験バルブＶＴとの接続点に第１補助バルブＶａ１のカソードが接続される。
【００４４】
第１補助バルブＶａ１は、電流源回路１０と電圧源回路２０とを電気的に絶縁すると共に、電流源回路１０を電圧源回路２０の高電圧から保護するために高電圧阻止用に用いられる素子である。
【００４５】
試験バルブＶＴがオンになると、電流源回路１０から試験バルブＶＴに電流が供給されるように、第１補助バルブＶａ１がオンになる。
【００４６】
また、試験バルブＶＴがオフになると、電圧源回路２０から試験バルブＶＴに電圧が印加されるように、第１補助バルブＶａ１がオフになり、電流源回路１０を電圧源回路２０の高電圧から保護する。
【００４７】
補助回路３０は、第１補助バルブＶａ１を強制的にオフ制御するための回路であって、試験バルブＶＴがオフになると第１補助バルブＶａ１を強制的にオフにする。補助回路３０は、第２直流電源部３１と、補助スイッチＩＧＢＴ４と、第１コンデンサＣ１とを含む。
【００４８】
第２直流電源部３１は、第１補助バルブＶａ１をオフにするための所定の直流電圧を印加するためのものであって、６パルスダイオード整流器、１２パルスダイオード整流器、１８パルスダイオード整流器などで構成することができる。
【００４９】
補助回路３０においては、補助スイッチＩＧＢＴ４のエミッタが第３スイッチＩＧＢＴ３のコレクタに接続され、補助スイッチＩＧＢＴ４のコレクタが第１コンデンサＣ１の一端に接続され、第１コンデンサＣ１の他端は第３スイッチＩＧＢＴ３のエミッタに接続される。すなわち、直列接続された補助スイッチＩＧＢＴ４及び第１コンデンサＣ１が第３スイッチＩＧＢＴ３に並列に接続される。また、補助スイッチＩＧＢＴ４と第１コンデンサＣ１との接続点は、第２直流電源部３１の正極出力端子に接続され、第３スイッチＩＧＢＴ３と第１コンデンサＣ１との接続点は、第２直流電源部３１の負極出力端子に接続される。
【００５０】
以降、図２Ａ〜図２Ｉを参照して、前述したように構成される本発明の好ましい一実施形態によるサイリスタバルブの合成試験装置を用いてサイリスタバルブを試験する動作を詳細に説明する。
【００５１】
図２Ａ〜図２Ｉは、本発明の好ましい一実施形態によるサイリスタバルブの合成試験装置における各動作モードの等価回路を示す回路図である。
【００５２】
本発明の好ましい一実施形態によるサイリスタバルブの合成試験装置は、備えられる複数のスイッチのスイッチング状態の組合せによって動作モードが決定される。
【００５３】
図２Ａ〜図２Ｄは、オン状態の試験バルブＶＴに電流が供給される場合の各動作モードの等価回路を示す。
【００５４】
図２Ｅ〜図２Ｇは、オフ状態の試験バルブＶＴに逆方向電圧が印加される場合の各動作モードの等価回路を示す。
【００５５】
図２Ｈ〜図２Ｉは、オフ状態の試験バルブＶＴに順方向電圧が印加される場合の各動作モードの等価回路を示す。
【００５６】
同図においては、第１直流電源部１１は等価な第１直流電圧源Ｖｉｎ１として示し、第２直流電源部３１は等価な第２直流電圧源Ｖｉｎ２として示し、各動作モードの等価回路図においてオン状態の素子は符号を囲み表示して分かりやすく示す。
【００５７】
図２Ａを参照すると、制御器（図示せず）によりゲート制御信号を供給し、試験バルブＶＴ、第１スイッチＩＧＢＴ１、第２スイッチＩＧＢＴ２、第３スイッチＩＧＢＴ３及び第１補助バルブＶａ１をオンにすると、試験バルブＶＴに流れる電流が所定の勾配で増加する。共振用コンデンサＣｓ及び第１コンデンサＣ１は、図示のような極性を有する初期電圧が充電された状態である。
【００５８】
この場合、第１スイッチＩＧＢＴ１（又は第２スイッチＩＧＢＴ２）から第１インダクタＬ１（又は第２インダクタＬ２）、第３スイッチＩＧＢＴ３、第１補助バルブＶａ１を経由して試験バルブＶＴに流れる電流経路が形成される。
【００５９】
試験バルブＶＴに流れる電流が予め定められた基準値まで増加すると、試験バルブＶＴに流れる電流が当該基準値に相当する値を維持するように、制御器によって第１スイッチＩＧＢＴ１及び第２スイッチＩＧＢＴ２に所定時間だけパルス幅変調信号を供給することによって、第１スイッチＩＧＢＴ１及び第２スイッチＩＧＢＴ２をパルス幅変調スイッチングする。
【００６０】
パルス幅変調スイッチングが終了すると、第１スイッチＩＧＢＴ１及び第２スイッチＩＧＢＴ２がオフになり、第１ダイオードＤ１及び第２ダイオードＤ２に流れる電流量が次第に減少する。このような動作モード（動作状態）の等価回路は図２Ｂの通りである。このような動作モードでは、第１ダイオードＤ１（又は第２ダイオードＤ２）から第１インダクタＬ１（又は第２インダクタＬ２）、第３スイッチＩＧＢＴ３、第１補助バルブＶａ１を経由して試験バルブＶＴに流れる電流経路が形成される。
【００６１】
図２Ｂにおいて試験バルブＶＴに流れる電流は、第１インダクタＬ１及び第２インダクタＬ２に貯蔵されたエネルギーから供給されるもの（以下、供給電流という）であるため、電流量が次第に減少して結局は「０」となり、試験バルブＶＴがオフになる。
【００６２】
試験バルブＶＴがオフになるまで、試験バルブＶＴに流れる電流が所定の勾配で減少するように、第１インダクタＬ１及び第２インダクタＬ２からの供給電流が「０」となる前に、制御器からのゲート制御信号により第３補助バルブＶａ３をオンにし、試験バルブＶＴに前記供給電流と共に共振電流が供給されるようにする。このような動作モード（動作状態）の等価回路は図２Ｃの通りである。
【００６３】
図２Ｃを参照すると、供給電流は、第１ダイオードＤ１（又は第２ダイオードＤ２）から第１インダクタＬ１（又は第２インダクタＬ２）、第３スイッチＩＧＢＴ３、第１補助バルブＶａ１、試験バルブＶＴに流れる経路を形成し、共振電流は、共振用コンデンサＣｓから第３補助バルブＶａ３、第３インダクタＬ３、試験バルブＶＴに流れる経路を形成する。したがって、試験バルブＶＴにおいて供給電流と共振電流とが合流して流れる。
【００６４】
供給電流が「０」となると、試験バルブＶＴの電圧ストレスを試験する前に第１補助バルブＶａ１をオフにするために、制御器からのゲート制御信号によって補助スイッチＩＧＢＴ４をオンにし、第２直流電源部３１の直流電圧を第１コンデンサＣ１に印加する。
【００６５】
すると、第１補助バルブＶａ１に第２直流電圧源Ｖｉｎ２と第１直流電圧源Ｖｉｎ１の電圧差に相当する逆方向電圧が印加され、第１補助バルブＶａ１がオフになる。このような動作モード（動作状態）の等価回路は図２Ｄの通りである。図２Ｄを参照すると、共振電流は、共振用コンデンサＣｓから第３補助バルブＶａ３、第３インダクタＬ３を経由して試験バルブＶＴに流れる。
【００６６】
その後、共振電流も「０」となると、図２Ｅに示すように、制御器からのゲート制御信号によって試験バルブＶＴ及び第３補助バルブＶａ３をオフにする。すると、共振用コンデンサＣｓの電圧の極性が反転する。
【００６７】
その後、図２Ｆに示すように、制御器からのゲート制御信号によって第４補助バルブＶａ４をオンにすると、試験バルブＶＴに逆方向電圧が印加される。
【００６８】
その後、図２Ｇに示すように、制御器からのゲート制御信号によって第５補助バルブＶａ５をオンにすると、共振用コンデンサＣｓ、第５補助バルブＶａ５及び第４インダクタＬ４が共振回路を形成する。
【００６９】
所定時間が経過し、図２Ｈに示すように、共振用コンデンサＣｓの電圧の極性が再び反転すると、制御器からのゲート制御信号によって第４補助バルブＶａ４及び第５補助バルブＶａ５をオフにし、第３補助バルブＶａ３をオンにする。すると、共振用コンデンサＣｓから試験バルブＶＴに順方向電圧が印加される。
【００７０】
一方、共振用コンデンサＣｓの両端に順方向電圧を補う回路を接続してもよい。このように共振用コンデンサＣｓの両端に順方向電圧を補う動作モード（動作状態）の等価回路は図２Ｉの通りである。
【００７１】
図２Ｉに示すように、制御器からのゲート制御信号によって第２補助バルブＶａ２をオンにすると、低電流高電圧源２１からの電流によって共振用コンデンサＣｓが充電され、試験バルブＶＴに印加される順方向電圧が補われる。共振用コンデンサＣｓが完全に充電すると、制御器からのゲート制御信号の供給を中断し、第２補助バルブＶａ２をオフにする。
【００７２】
以上、本発明の実施形態を説明したが、これは例示的なものにすぎず、当該技術分野における通常の知識を有する者であればこれから様々な変形及び均等な実施形態が可能であることを理解するであろう。よって、本発明の権利範囲は、添付の特許請求の範囲及びその均等物により定められるべきである。
【符号の説明】
【００７３】
１０    電流源回路
２０    電圧源回路
３０    補助回路
ＶＴ    試験バルブ
Ｖａ１    第１補助バルブ
【図１】
0005715186.tif 000002
【図２Ａ】
0005715186.tif 000003
【図２Ｂ】
0005715186.tif 000004
【図２Ｃ】
0005715186.tif 000005
【図２Ｄ】
0005715186.tif 000006
【図２Ｅ】
0005715186.tif 000007
【図２Ｆ】
0005715186.tif 000008
【図２Ｇ】
0005715186.tif 000009
【図２Ｈ】
0005715186.tif 000010
【図２Ｉ】
0005715186.tif 000011